(57)【要約】      （修正有）【課題】安定的な直立状態を容易に得ることができ、幼児にとっても取り扱い性のよい木製フィギュアを提供する。【解決手段】胴体部２０において頭部３０とは反対側の胴体部底面（端面）２２に設けられ、載置面４０に載置することにより頭部３０が胴体部２０の上方となる正立状態が得られる正立支持部２３と、頭部側面３２及び頭頂面３１のうちの一方と、胴体部側面２１とに設けられ、載置面４０に載置することにより横立状態が得られる横立支持部と、を備える。このため、木製フィギュア１０は、安定的な直立状態を容易に得ることができ、幼児にとっても取り扱い性のよい木製フィギュア１０を提供することができる。また、木製フィギュア１０は、正立状態及び横立状態の起立状態が可能になるので、興趣性を増すことができる。【選択図】図１
2019217338.tif 000002
【特許請求の範囲】
【請求項１】
木製の頭部と胴体部とが一体に成形された扁平形状とされ、
前記胴体部において前記頭部とは反対側の端面に設けられ、載置面に載置することにより前記頭部が前記胴体部の上方となる正立状態が得られる正立支持部と、
前記頭部における頭部側面及び頭頂面のうちの一方と、前記胴体部における胴体部側面とに設けられ、前記載置面に載置することにより横立状態が得られる横立支持部と、
を備え、
前記頭部における頭部正面及び前記胴体部における胴体部正面が同一平坦面であるとともに、前記頭部における頭部背面及び前記胴体部における胴体部背面が同一平坦面であり、
前記頭部の前記頭部正面に顔面模様が施されているとともに、前記顔面模様の一部が前記頭部側面に連続して設けられ、
前記頭部における前記頭頂面、前記頭部正面、前記頭部側面、前記頭部背面のうちの互いに隣り合う複数の面の少なくとも一部に連続した色彩が施され、
前記胴体部における前記胴体部正面、前記胴体部側面、前記胴体部背面のうちの互いに隣り合う複数の面の少なくとも一部に連続した色彩が施され、
前記頭部及び前記胴体部のみにより構成されているフィギュア。
【請求項２】
請求項１記載のフィギュアであって、
前記頭部における前記頭頂面に設けられ、前記載置面に載置することにより倒立状態が得られる倒立支持部を備えるフィギュア。
【請求項３】
請求項１または請求項２記載のフィギュアであって、
前記色彩は透視性を有する塗料により施されているフィギュア。
【請求項４】
請求項２記載のフィギュアであって、
前記倒立支持部は、前記頭部における前記頭頂面に設けられた一対の突出部であるフィギュア。
【請求項５】
請求項４記載のフィギュアであって、
前記各突出部における突出部側面が円弧面であるとともに、前記頭部側面及び前記突出部側面の少なくとも一部が窪みを形成するフィギュア。
【請求項６】
請求項５記載のフィギュアであって、
頭部側面は円弧面であるとともに、前記突出部側面が前記頭部における前記頭部側面と異なる曲率の円弧面であるフィギュア。
【請求項７】
請求項１ないし請求項６のうちのいずれか１項記載のフィギュアであって、
前記頭部の幅寸法が、前記胴体部の幅寸法よりも大きいフィギュア。
【請求項８】
請求項１ないし請求項７のうちのいずれか１項記載のフィギュアであって、
前記頭部及び前記胴体部のうちの少なくとも一方は、人物、動植物、キャラクターのうちのいずれか１つを模した輪郭形状であるフィギュア。
【請求項９】
請求項１ないし請求項８のうちのいずれか１項記載のフィギュアであって、
前記頭部の輪郭形状及び前記胴体部の輪郭形状は、他の種類のフィギュアにおける頭部の輪郭形状及び胴体部の輪郭形状と異なるフィギュア。
【請求項１０】
請求項１ないし請求項９のうちのいずれか１項記載のフィギュアであって、
前記横立支持部は、他の種類のフィギュアにおける横立支持部と異なる位置に設けられているフィギュア。
【請求項１１】
請求項１ないし請求項１０のうちのいずれか１項記載のフィギュアであって、
他の種類のフィギュアと、厚み方向及び厚み方向に対して直交する方向に沿って重畳可能であるフィギュア。
【請求項１２】
請求項１ないし請求項１１のうちのいずれか１項記載のフィギュアであって、
前記頭部における頭部側面及び前記胴体部における前記胴体部側面が互いに異なる曲率の円弧面であるとともに、前記頭部側面及び前記胴体部側面の少なくとも一部が窪みを形成するフィギュア。
【請求項１３】
請求項１２記載のフィギュアであって、
他の種類のフィギュアと、厚み方向に対して直交する方向に沿って前記窪みを介して重畳可能であるフィギュア。
【発明の詳細な説明】
【技術分野】
【０００１】
本発明は、木製フィギュアに関する。
【背景技術】
【０００２】
従来より、積木等の組立玩具が広く知られている（例えば特許文献１）。
このような組立玩具は、複数種類のうち、輪郭が角形状あるいは矩形状の扁平形状のものがあり、幼児が適宜載置形態を選択したり、複数を積み上げることで興趣性を満たすものとなっている。
【先行技術文献】
【特許文献】
【０００３】
【特許文献１】実開昭６１−１１８３９９号公報
【発明の概要】
【発明が解決しようとする課題】
【０００４】
ところで、一般に、幼児は、扁平形状の積木が載置面に対して扁平に載置されている場合、すなわち、扁平形状の積木が載置面に対して厚み方向が直交するように載置されている場合、このような積木を載置面に対して厚み方向が平行になるように直立させたいという欲求が生ずることが知られている。
このような組立玩具は、各端面が平坦面であるため、それぞれの端面を載置面に載置させることにより、複数の直立状態が得られる。
また、近年の組立玩具では、多様な幼児の興趣性を満たすために、輪郭が曲線のものも提供されている。
ところが、このような組立玩具では、端面が円弧面となるため、安定的な直立状態が得難く、幼児にとっての取り扱い性が低いという問題がある。
【０００５】
本発明は、上述した事情に鑑みなされたものであり、安定的な直立状態等が容易に得ることができ、幼児にとっても取り扱い性のよい木製フィギュアを提供することを目的とする。
【課題を解決するための手段】
【０００６】
本発明に係るフィギュアは、木製の頭部と胴体部とが一体に成形された扁平形状とされ、前記胴体部において前記頭部とは反対側の端面に設けられ、載置面に載置することにより前記頭部が前記胴体部の上方となる正立状態が得られる正立支持部と、前記頭部における頭部側面及び頭頂面のうちの一方と、前記胴体部における胴体部側面とに設けられ、前記載置面に載置することにより横立状態が得られる横立支持部と、を備え、前記頭部における頭部正面及び前記胴体部における胴体部正面が同一平坦面であるとともに、前記頭部における頭部背面及び前記胴体部における胴体部背面が同一平坦面であり、前記頭部の前記頭部正面に顔面模様が施されているとともに、前記顔面模様の一部が前記頭部側面に連続して設けられ、前記頭部における前記頭頂面、前記頭部正面、前記頭部側面、前記頭部背面のうちの互いに隣り合う複数の面の少なくとも一部に連続した色彩が施され、前記胴体部における前記胴体部正面、前記胴体部側面、前記胴体部背面のうちの互いに隣り合う複数の面の少なくとも一部に連続した色彩が施され、頭部及び胴体部のみにより構成されている。
【０００７】
本発明に係る木製フィギュアは、頭部と胴体部とが一体に成形された扁平形状とされ、前記胴体部において前記頭部とは反対側の端面に設けられ、載置面に載置することによ
り前記頭部が前記胴体部の上方となる正立状態が得られる正立支持部と、前記頭部における頭部側面及び頭頂面のうちの一方と、前記胴体部における胴体部側面とに設けられ、前記載置面に載置することにより横立状態が得られる横立支持部と、を備え、前記頭部における頭部正面及び前記胴体部における胴体部正面が同一平坦面であるとともに、前記頭部における頭部背面及び前記胴体部における胴体部背面が同一平坦面であり、前記頭部における頭部側面及び前記胴体部における前記胴体部側面が互いに異なる曲率の円弧面であるとともに、前記頭部側面及び前記胴体部側面の少なくとも一部が窪みを形成する。
【０００８】
また、本発明に係る木製フィギュアにおいては、前記頭部における前記頭頂面に設けられ、前記載置面に載置することにより倒立状態が得られる倒立支持部を備えてもよい。
【０００９】
また、本発明に係る木製フィギュアにおいては、前記頭部における頭部正面及び前記胴体部における胴体部正面が同一平坦面であるとともに、前記頭部における頭部背面及び前記胴体部における胴体部背面が同一平坦面であり、前記頭部における頭部側面及び前記胴体部における前記胴体部側面が互いに異なる曲率の円弧面であるとともに、前記頭部側面及び前記胴体部側面により窪みが形成されるものであってもよい。
【００１０】
また、本発明に係る木製フィギュアにおいては、前記頭部の前記頭部正面に顔面模様が施されているとともに、前記頭部における前記頭頂面、前記頭部正面、前記頭部側面、前記頭部背面のうちの互いに隣り合う複数の面の少なくとも一部に連続した色彩が施され、前記胴体部における前記胴体部正面、前記胴体部側面、前記胴体部背面のうちの互いに隣り合う複数の面の少なくとも一部に連続した色彩が施されていてもよい。
【００１１】
また、本発明に係る木製フィギュアにおいては、前記色彩は透視性を有する塗料により施されていてもよい。
【００１２】
また、本発明に係る木製フィギュアにおいては、前記倒立支持部は、前記頭部における前記頭頂面に設けられた一対の突出部であってもよい。
【００１３】
また、本発明に係る木製フィギュアにおいては、前記各突出部における突出部側面が円弧面であるとともに、前記頭部側面及び前記突出部側面の少なくとも一部により窪みが形成されるものであってもよい。
【００１４】
また、本発明に係る木製フィギュアにおいては、前記突出部側面が前記頭部における前記頭部側面と異なる曲率の円弧面であってもよい。
【００１５】
また、本発明に係る木製フィギュアにおいては、前記頭部の幅寸法が、前記胴体部の幅寸法よりも大きくてもよい。
【００１６】
また、本発明に係る木製フィギュアにおいては、前記頭部及び前記胴体部のうちの少なくとも一方は、人物、動植物、キャラクターのうちのいずれか１つを模した輪郭形状であってもよい。
【００１７】
また、本発明に係る木製フィギュアにおいては、前記頭部の輪郭形状及び前記胴体部の輪郭形状は、他の種類の木製フィギュアにおける頭部の輪郭形状及び胴体部の輪郭形状と異なってもよい。
【００１８】
また、本発明に係る木製フィギュアにおいては、前記横立支持部は、他の種類の木製フィギュアにおける横立支持部と異なる位置に設けられていてもよい。
【００１９】
また、本発明に係る木製フィギュアにおいては、他の種類の木製フィギュアと、厚み方向及び厚み方向に対して直交する方向に沿って重畳可能であってもよい。
【００２０】
また、本発明に係る木製フィギュアにおいては、他の種類の木製フィギュアと、厚み方向に対して直交する方向に沿って前記窪みを介して重畳可能であってもよい。
【発明の効果】
【００２１】
本発明によれば、頭部が胴体部の上方となるように支持する正立状態及び頭部と胴体部とで支持する横立状態が可能なので、幼児にとっても取り扱い性のよい木製フィギュアを提供することができる。
【図面の簡単な説明】
【００２２】
【図１】（Ａ）は本発明の実施形態である木製フィギュアの正立状態を示す正面図であり、（Ｂ）は前上方から見た斜視図であり、（Ｃ）は後上方から見た斜視図である。
【図２】（Ａ）は本発明の実施形態である木製フィギュアの横立状態を示す正面図であり、（Ｂ）は倒立状態を示す正面図である。
【図３】載置面に平たく載置された木製フィギュアを正立状態に起こす動作を示す斜視図である。
【図４】（Ａ）〜（Ｃ）には、他の種類の木製フィギュアの斜視図である。
【図５】（Ａ）〜（Ｃ）は図４で示した木製フィギュアの正立状態、横立状態及び倒立状態を示す正面図である。
【図６】（Ａ）及び（Ｂ）は異なる種類の木製フィギュアを２線支持で重ねた状態の正面図である。
【図７】異なる種類の木製フィギュアを３線支持で重ねた状態の正面図である。
【図８】異なる種類の木製フィギュアを厚さ方向に重ねた状態の平面図である。
【発明を実施するための形態】
【００２３】
［本発明の実施の形態］
図１（Ａ）は、本発明の実施形態を説明するための、木製フィギュアの全体構成を示す正面図である。また、図１（Ｂ）は前上方から見た斜視図であり、図１（Ｃ）は後上方から見た斜視図である。
【００２４】
図１に示す木製フィギュア１０は、胴体部２０を有しており、胴体部２０には頭部３０が一体的に連結された扁平形状である。胴体部２０及び頭部３０は、一定値よりも大きな板厚Ｔを有する（図１（Ｂ）参照）。ここで、一定値よりも大きな板厚Ｔとは、後述する正立状態、横立状態及び倒立状態の保持が可能な板厚Ｔよりも大きいことを意味する。
なお、木製フィギュア１０は、例えば平板状の木製板材から切り抜いて製造することができるが、製造方法は特に限定しない。
【００２５】
胴体部２０及び胴体部２０に連続して設けられている頭部３０は、投影輪郭線の少なくとも一部が凸状の曲線である。
胴体部２０は、例えば、正面から見て外側に凸の一対の曲線（曲面）からなる胴体部側面２１、２１と、胴体部側面２１の下端部に連続し頭部３０とは反対側の端面である胴体部底面２２で形成することができる。また、頭部３０は、例えば、全体円形とすることができる。
【００２６】
また、頭部３０の輪郭を形成する頭頂面３１及び左右の頭部側面３２、３２には、一対の耳（突出部）３３が設けられている。耳側面（突出部側面）３３１は、頭部側面３２と異なる曲率の円弧面で形成されており、一部が頭部３０に埋没した形状となっている。耳側面３３１と頭部側面３２は、少なくとも一部が凹んで入隅（窪み）Ｓ２となっている。
なお、突出部として、耳のかわりに角を設けることもできる。
【００２７】
頭部正面３５と胴体部正面２５とは、同一平坦面である。また、頭部背面３６と胴体部背面２６とは、同一平坦面である。
従って、木製フィギュア１０は、胴体部２０及び頭部３０を同じ板厚Ｔの材料で形成することができる。あるいは、木製フィギュア１０の最下面である胴体部底面２２から頭頂面３１まで、板厚Ｔが直線的に変化する材料を用いることもできる。
【００２８】
頭部３０における頭部側面３２及び胴体部２０における胴体部側面２１は、互いに異なる曲率の円弧面で形成することができる。このとき、頭部側面３２と胴体部側面２１とが交わる部分が凹んで入隅（窪み）Ｓ１が形成されている（図１（Ａ）参照）。頭部３０の幅寸法Ｗ１は、胴体部２０の幅寸法Ｗ２よりも大きい。
また、頭部３０及び胴体部２０のうちの少なくとも一方は、人物、動植物、キャラクターのうちのいずれか１つを模した輪郭形状となっている。
【００２９】
図１（Ａ）及び図１（Ｂ）に示すように、頭部正面３５には、目、鼻、口、眉等の顔面模様が施されており、耳３３の形状と相まって小熊のような印象を与える。さらに、頭頂面３１、頭部正面３５、頭部側面３２、頭部背面３６のうちの互いに隣り合う複数の面の少なくとも一部には、連続した色彩が施されている。ここでは、頬の模様が、頭部正面３５及び頭部側面３２に連続して設けられている。
また、図１（Ｂ）及び図１（Ｃ）に示すように、胴体部正面２５、胴体部側面２１、胴体部背面２６のうちの互いに隣り合う複数の面の少なくとも一部に連続した色彩が施されている。ここでは、胴体部２０の下部に全周にわたって模様が設けられている。
【００３０】
頭部３０及び胴体部２０に設けられている色彩は、透視性を有する塗料により施されている。
このため、木製フィギュア１０を形成している材料の木目等が透けて見えるので、材料の特性を生かすことができる。
【００３１】
次に、木製フィギュア１０の動作について説明する。
木製フィギュア１０を机や台や床等の上面である載置面４０に載置する際に、胴体部底面２２を正立支持部２３として載置することにより、頭部３０が胴体部２０の上方となる正立状態が得られる（図１（Ａ）参照）。すなわち、正立状態は、胴体部底面２２が載置面４０に面接触することにより行われているので、正立支持部２３は、一面で構成される。
【００３２】
また、図２（Ａ）に示すように、頭部３０における頭部側面３２及び頭頂面３１のうちの一方（ここでは、頭部側面３２）と胴体部２０における胴体部側面２１とを、横立支持部２４として載置面４０に載置することにより、横立状態が得られる。すなわち、横立状態は、頭部側面３２を厚さ方向に横切る１本の直線と、胴体部側面２１を厚さ方向に横切る１本の直線とが、載置面４０に接触することにより得られる。従って、横立支持部２４は、２本の直線により構成される。
なお、ここでは、胴体部側面２１を厚さ方向に横切る直線が、胴体部側面２１と胴体部底面２２との交線となっているが、胴体部側面２１の曲率が大きい場合には、胴体部側面２１の途中部分に位置することもある。この場合、頭部側面３２と胴体部側面２１の共通接線（すなわち、載置面４０）が胴体部側面２１を支持する位置となる。
【００３３】
さらに、図２（Ｂ）に示すように、頭頂面３１に設けられた一対の耳３３を倒立支持部３４として載置面４０に載置することにより、倒立状態が得られる。すなわち、倒立状態は、一対の耳３３の頂点を厚さ方向に横切る２本の直線が、載置面４０に接触することにより得られる。従って、倒立支持部３４は、２本の直線により構成される。
【００３４】
図３に示すように、木製フィギュア１０を載置面４０に載置する際には、頭部３０と胴体部２０との間の入隅（窪み）Ｓ１（図１（Ａ）参照）を指Ｆで摘んで木製フィギュア１０を持ち上げる。
このため、木製フィギュア１０を容易に指等で把持することができる。
【００３５】
次に、本実施形態に係る木製フィギュアの作用、効果について説明する。
本実施形態に係る木製フィギュア１０は、胴体部２０における頭部３０とは反対側の胴体部底面２２に設けられ、載置面４０に載置することにより頭部３０が胴体部２０の上方となる正立状態が得られる正立支持部２３と、頭部側面３２及び頭頂面３１のうちの一方と、胴体部側面２１とに設けられ、載置面４０に載置することにより横立状態が得られる横立支持部２４と、を備える。
このため、木製フィギュア１０は、安定的な直立状態を容易に得ることができ、幼児にとっても取り扱い性のよい木製フィギュア１０を提供することができる。また、木製フィギュア１０は、正立状態及び横立状態の起立状態が可能になるので、興趣性を増すことができる。
【００３６】
また、本実施形態に係る木製フィギュア１０においては、頭頂面３１に設けられ、載置面４０に載置することにより倒立状態が得られる倒立支持部３４を備える。
このため、倒立状態の起立状態が可能になるので、興趣性を増すことができる。
【００３７】
また、頭部側面３２及び胴体部側面２１が互いに異なる曲率の円弧面であるとともに、頭部側面３２及び胴体部側面２１の少なくとも一部が入隅（窪み）Ｓ１を形成する。このため、入隅（窪み）Ｓ１を指で摘むことにより、容易かつ確実に木製フィギュア１０を摘むことができる。
【００３８】
また、本実施形態に係る木製フィギュア１０においては、頭部正面３５に顔面模様が施され、頭頂面３１、頭部正面３５、頭部側面３２、頭部背面３６のうちの互いに隣り合う複数の面の一部に連続した色彩が施されているので、頭部３０の立体感が得られる。
また、胴体部正面２５、胴体部側面２１、胴体部背面２６のうちの互いに隣り合う複数の面の一部に連続した色彩が施されている。このため、胴体部２０の立体感が得られる。
【００３９】
また、本実施形態に係る木製フィギュア１０においては、色彩は透視性を有する塗料により施されている。
このため、材料の木目が透けて見えるので、材料の特性を生かすことができる。
【００４０】
また、本実施形態に係る木製フィギュア１０においては、倒立支持部３４は、頭頂面３１に設けられた一対の耳３３である。
これにより、倒立状態が可能になる。
【００４１】
また、本実施形態に係る木製フィギュア１０においては、各耳３３における耳側面３３１が円弧面であるとともに、頭部側面３２と耳側面３３１の少なくとも一部が入隅（窪み）Ｓ２を形成する。
このため、入隅（窪み）Ｓ２を指で摘むことにより、木製フィギュア１０を容易に摘むことができる。
【００４２】
また、本実施形態に係る木製フィギュア１０においては、耳側面３３１が頭部側面３２と異なる曲率の円弧面であってもよい。
【００４３】
また、本実施形態に係る木製フィギュア１０においては、頭部３０の幅寸法Ｗ１が、胴体部２０の幅寸法Ｗ２よりも大きい。
すなわち、胴体部２０よりも頭部３０の方が大きくなるので、全体として仮分数（頭でっかち）の状態となり、かわいい印象を与える。
【００４４】
また、本実施形態に係る木製フィギュア１０においては、頭部３０及び胴体部２０のうちの少なくとも一方は、人物、動植物、キャラクターのうちのいずれか１つを模した輪郭形状である。
このため、木製フィギュア１０は、かわいい印象を与える。
【００４５】
次に、複数の木製フィギュアを用いる場合について説明する。
複数個の木製フィギュアを用いて遊ぶ際には、輪郭形状が異なる他の種類の木製フィギュアを用いることができる。このとき、横立支持部を異なる位置に設けることもできる。
図４（Ａ）〜図４（Ｃ）には、前述した木製フィギュア１０とは輪郭形状及び図柄等が異なる他の種類の木製フィギュアが示されている。
【００４６】
図４（Ａ）に示す木製フィギュア１０Ａでは、頭部３０Ａに設けられている耳３３Ａの形状が前述した木製フィギュア１０の場合と異なり、先端が尖っている。また、一対の耳３３Ａ、３３Ａが離れて設けられている。さらに、頭部正面３５Ａに描かれている顔の図柄が、タヌキのような印象を与える。
胴体部２０Ａでは、胴体部正面２５Ａ及び胴体部側面２１Ａに跨って図柄が設けられるとともに、胴体部正面２５Ａの中央部には、腹が白色等で設けられている。
【００４７】
図４（Ｂ）に示す木製フィギュア１０Ｂでは、頭部３０Ｂに設けられている耳３３Ｂの形状が前述した木製フィギュア１０の場合と異なり、先端が尖っているが、一対の耳３３Ｂ、３３Ｂが設けられている位置は、前述した木製フィギュア１０と同様である。さらに、頭部正面３５Ｂに描かれている顔の図柄が、ブタのような印象を与える。
胴体部２０Ｂは、頭部３０Ｂと比べて非常に小さい。胴体部正面２５Ｂ及び胴体部側面２１Ｂに跨って、丸印の図柄が設けられる。なお、胴体部背面（図示省略）にも同様な図柄が連続して設けられている。
【００４８】
図４（Ｃ）に示す木製フィギュア１０Ｃでは、頭部３０Ｃに設けられている耳３３Ｃの形状が前述した木製フィギュア１０の場合と異なり、先端が尖っている。また、一対の耳３３Ｃ、３３Ｃが接近して設けられている。さらに、頭部正面３５Ｃに描かれている顔の図柄が、キツネのような印象を与える。
胴体部２０Ｃでは、胴体部正面２５Ｃ及び胴体部側面２１Ｃに跨って図柄が設けられるとともに、胴体部正面２５Ｃの中央部には、腹が白色等で設けられている。
【００４９】
図５（Ａ）には、図４（Ａ）に示した木製フィギュア１０Ａの正立状態が示されている。正立状態では、胴体部底面２２Ａを正立支持部２３Ａとして載置面４０に載置する。
横立状態では、耳側面３３１Ａの一部及び胴体部側面２１Ａの一部を通る直線を横立支持部２４Ａとする。従って、頭部側面３２Ａは載置面４０に接触しない。なお、耳側面３３１Ａの一部としては、耳側面３３１Ａにおける接点または耳側面３３１Ａの先端点がある。同様に、胴体部側面２１Ａの一部としては、胴体部側面２１Ａにおける接点または胴体部側面２１Ａと胴体部底面２２Ａとの交点（交線）がある。
さらに、倒立状態では、一対の耳３３Ａ、３３Ａの共通接線、あるいは一対の耳３３Ａ、３３Ａの先端を結ぶ線を倒立支持部３４Ａとする。
【００５０】
図５（Ｂ）には、図４（Ｂ）に示した木製フィギュア１０Ｂの正立状態が示されている。正立状態では、胴体部底面２２Ｂを正立支持部２３Ｂとして載置面４０に載置する。
横立状態では、頭部側面３２Ｂと胴体部側面２１Ｂとの共通接線、あるいは胴体部側面２１Ｂと胴体部底面２２Ｂとの交点（交線）を通る頭部側面３２Ｂの接線を横立支持部２４Ｂとする。
さらに、倒立状態では、一対の耳３３Ｂ、３３Ｂの共通接線、あるいは一対の耳３３Ｂ、３３Ｂの先端を結ぶ線を倒立支持部３４Ｂとする。
【００５１】
図５（Ｃ）には、図４（Ｃ）に示した木製フィギュア１０Ｃの正立状態が示されている。正立状態では、胴体部底面２２Ｃを正立支持部２３Ｃとして載置面４０に載置する。
横立状態では、頭部側面３２Ｃと胴体部側面２１Ｃとの共通接線、あるいは胴体部側面２１Ｃと胴体部底面２２Ｃとの交点（交線）を通る頭部側面３２Ｃの接線を横立支持部２４Ｃとする。
さらに、倒立状態では、一対の耳３３Ｃ、３３Ｃの共通接線、あるいは一対の耳３３Ｃ、３３Ｃの先端を結ぶ線を倒立支持部３４Ｃとする。
【００５２】
図６（Ａ）には、異なる種類の木製フィギュアを２線支持で重ねた状態の一例が示されている。
載置面４０に、木製フィギュア１０Ｂを図５（Ｂ）で示される横立状態で載置し、木製フィギュア１０Ｂの上に木製フィギュア１０Ｃを横立状態で重ねた。この場合、木製フィギュア１０Ｂの頭部側面３２Ｂの上に、木製フィギュア１０Ｃの頭部側面３２Ｃ及び胴体部側面２１Ｃが載置されており、２本の直線により横立状態が保持されている。
【００５３】
図６（Ｂ）には、異なる種類の木製フィギュアを２線支持で重ねた状態の別の例が示されている。
載置面４０に、木製フィギュア１０Ａを図５（Ａ）で示される横立状態で載置し、木製フィギュア１０Ａの上に木製フィギュア１０Ｃを横立状態で重ねた。この場合、木製フィギュア１０Ａの耳側面３３１Ａの上に、木製フィギュア１０Ｃの胴体部側面２１Ｃを載置し、木製フィギュア１０Ａの胴体部側面２１Ａの上に木製フィギュア１０Ｃの頭部側面３２Ｃを載置している。この場合も、２本の直線により横立状態が保持されている。
【００５４】
なお、ここでは横立状態の木製フィギュアに別の種類の木製フィギュアを厚み方向に対して直交する方向に沿って横立状態で重ねて２線で支持した場合について例示したが、これに限定するものではない。種々の重ね方で２線支持が可能である。
また、複数の木製フィギュアを重ねる際に、入隅（窪み）Ｓ１、Ｓ２を用いることも可能である。
【００５５】
図７には、異なる種類の木製フィギュアを３線支持で重ねた状態の一例が示されている。
載置面４０には、木製フィギュア１０Ａが正立状態で載置されている。木製フィギュア１０Ａの頭部３０Ａには、木製フィギュア１０Ｂが横立状態で載置されている。木製フィギュア１０Ｂは、３線支持で木製フィギュア１０Ａの上に載置されている。
【００５６】
ここでは、木製フィギュア１０Ａの頭頂面３１Ａと木製フィギュア１０Ｂの頭部側面３２Ｂが接触し、木製フィギュア１０Ａの耳側面３３１Ａと木製フィギュア１０Ｂの頭部側面３２Ｂが接触し、さらに、木製フィギュア１０Ａの耳側面３３１Ａと木製フィギュア１０Ｂの胴体部側面２１Ｂが接触している。これにより、３本の直線で保持される。
【００５７】
なお、ここでは正立状態の木製フィギュア１０Ａに別の種類の木製フィギュア１０Ｂを厚み方向に対して直交する方向に沿って横立状態で重ねた場合について例示したが、これに限定するものではない。種々の重ね方で３線支持が可能である。
また、複数の木製フィギュアを重ねる際に、入隅（窪み）Ｓ１、Ｓ２を用いることも可能である。
【００５８】
図８には、異なる種類の木製フィギュアを厚さ方向に重ねた平積み状態の一例が示されている。
まず、載置面４０に木製フィギュア１０を厚さ方向が直交するように載置し、木製フィギュア１０の上に木製フィギュア１０Ｂを厚さ方向が直交するように平積みし、さらに木製フィギュア１０Ｂの上に木製フィギュア１０Ｃを厚さ方向が直交するように平積している。
これにより、この木製フィギュアを複数個用いて遊ぶ際や、他の種類の木製フィギュアをも用いる際に、厚み方向に重畳する（積み重ねる）ことができる。
【００５９】
次に、本実施形態に係る木製フィギュアを複数用いる際の作用、効果について説明する。
本実施形態に係る木製フィギュア１０においては、頭部３０の輪郭形状及び胴体部２０の輪郭形状は、他の種類の木製フィギュア１０Ａ、１０Ｂ、１０Ｃにおける頭部３０Ａ、３０Ｂ、３０Ｃの輪郭形状及び胴体部２０Ａ、２０Ｂ、２０Ｃの輪郭形状と異なってもよい。
これにより、色々な遊び方ができる。
【００６０】
また、本実施形態に係る木製フィギュア１０においては、横立支持部２４は、他の種類の木製フィギュア１０Ａ、１０Ｂ、１０Ｃにおける横立支持部２４Ａ、２４Ｂ、２４Ｃと異なる位置に設けられていてもよい。
これにより、色々な遊び方ができる。
【００６１】
また、本実施形態に係る木製フィギュア１０においては、他の種類の木製フィギュア１０Ａ、１０Ｂ、１０Ｃと、厚み方向及び厚み方向に対して直交する方向に沿って重畳可能であってもよい。
これにより、異なる複数の木製フィギュア１０、１０Ａ、１０Ｂ、１０Ｃを容易に積層することができる。
【００６２】
また、本実施形態に係る木製フィギュア１０においては、他の種類の木製フィギュア１０Ａ、１０Ｂ、１０Ｃと、厚み方向に対して直交する方向に沿って入隅（窪み）Ｓ１、Ｓ２を介して重畳可能であってもよい。
これにより、入隅（窪み）を利用して、異なる複数の木製フィギュア１０、１０Ａ、１０Ｂ、１０Ｃを容易に積層することができる。
【００６３】
本発明の木製フィギュア１０は、前述した実施形態に限定されるものでなく、適宜な変形、改良等が可能である。
【符号の説明】
【００６４】
１０、１０Ａ、１０Ｂ、１０Ｃ  木製フィギュア
２０、２０Ａ、２０Ｂ、２０Ｃ  胴体部
２１、２１Ａ、２１Ｂ、２１Ｃ  胴体部側面
２２、２２Ａ、２２Ｂ、２２Ｃ  胴体部底面（端面）
２３、２３Ａ、２３Ｂ、２３Ｃ  正立支持部
２４、２４Ａ、２４Ｂ、２４Ｃ  横立支持部
２５、２５Ａ、２５Ｂ、２５Ｃ  胴体部正面
２６  胴体部背面
３０、３０Ａ、３０Ｂ、３０Ｃ  頭部
３１  頭頂面
３２、３２Ａ、３２Ｂ、３２Ｃ  頭部側面
３３、３３Ａ、３３Ｂ、３３Ｃ  耳（突出部）
３３１、３３１Ａ  耳側面（突出部側面）
３４、３４Ａ、３４Ｂ、３４Ｃ  倒立支持部
３５、３５Ａ、３５Ｂ、３５Ｃ  頭部正面
３６  頭部背面
４０  載置面
Ｓ１、Ｓ２  入隅（窪み）
Ｗ１  頭部の幅寸法
Ｗ２  胴体部の幅寸法
【図１】
2019217338.tif 000003
【図２】
2019217338.tif 000004
【図３】
2019217338.tif 000005
【図４】
2019217338.tif 000006
【図５】
2019217338.tif 000007
【図６】
2019217338.tif 000008
【図７】
2019217338.tif 000009
【図８】
2019217338.tif 000010
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
木製の頭部と胴体部とが一体に成形された扁平形状とされ、
前記胴体部において前記頭部とは反対側の端面に設けられ、載置面に載置することにより前記頭部が前記胴体部の上方となる正立状態が得られる正立支持部と、
前記頭部における頭部側面及び頭頂面のうちの一方と、前記胴体部における胴体部側面とに設けられ、前記載置面に載置することにより横立状態が得られる横立支持部と、
を備え、
前記頭部における頭部正面及び前記胴体部における胴体部正面が同一平坦面であるとともに、前記頭部における頭部背面及び前記胴体部における胴体部背面が同一平坦面であり、
前記頭部及び前記胴体部のみにより構成されているフィギュア。
【請求項２】
請求項１記載のフィギュアであって、
前記頭部における前記頭頂面に設けられ、前記載置面に載置することにより倒立状態が得られる倒立支持部を備えるフィギュア。
【請求項３】
請求項１または請求項２記載のフィギュアであって、
前記色彩は透視性を有する塗料により施されているフィギュア。
【請求項４】
請求項２記載のフィギュアであって、
前記倒立支持部は、前記頭部における前記頭頂面に設けられた一対の突出部であるフィギュア。
【請求項５】
請求項４記載のフィギュアであって、
前記各突出部における突出部側面が円弧面であるとともに、前記頭部側面及び前記突出部側面の少なくとも一部が窪みを形成するフィギュア。
【請求項６】
請求項５記載のフィギュアであって、
頭部側面は円弧面であるとともに、前記突出部側面が前記頭部における前記頭部側面と異なる曲率の円弧面であるフィギュア。
【請求項７】
請求項１ないし請求項６のうちのいずれか１項記載のフィギュアであって、
前記頭部の幅寸法が、前記胴体部の幅寸法よりも大きいフィギュア。
【請求項８】
請求項１ないし請求項７のうちのいずれか１項記載のフィギュアであって、
前記頭部及び前記胴体部のうちの少なくとも一方は、人物、動植物、キャラクターのうちのいずれか１つを模した輪郭形状であるフィギュア。
【請求項９】
請求項１ないし請求項８のうちのいずれか１項記載のフィギュアであって、
前記頭部の輪郭形状及び前記胴体部の輪郭形状は、他の種類のフィギュアにおける頭部の輪郭形状及び胴体部の輪郭形状と異なるフィギュア。
【請求項１０】
請求項１ないし請求項９のうちのいずれか１項記載のフィギュアであって、
前記横立支持部は、他の種類のフィギュアにおける横立支持部と異なる位置に設けられているフィギュア。
【請求項１１】
請求項１ないし請求項１０のうちのいずれか１項記載のフィギュアであって、
他の種類のフィギュアと、厚み方向及び厚み方向に対して直交する方向に沿って重畳可能であるフィギュア。
【請求項１２】
請求項１ないし請求項１１のうちのいずれか１項記載のフィギュアであって、
前記頭部における頭部側面及び前記胴体部における前記胴体部側面が互いに異なる曲率の円弧面であるとともに、前記頭部側面及び前記胴体部側面の少なくとも一部が窪みを形成するフィギュア。
【請求項１３】
請求項１２記載のフィギュアであって、
他の種類のフィギュアと、厚み方向に対して直交する方向に沿って前記窪みを介して重畳可能であるフィギュア。
【請求項１４】
請求項１ないし請求項１３のうちのいずれか１項記載のフィギュアであって、
前記頭部の前記頭部正面に顔面模様が施されているとともに、前記顔面模様の一部が前記頭部側面に連続して設けられているフィギュア。
【請求項１５】
請求項１ないし請求項１４のうちのいずれか１項記載のフィギュアであって、
前記頭部における前記頭頂面、前記頭部正面、前記頭部側面、前記頭部背面のうちの互いに隣り合う複数の面の少なくとも一部に連続した色彩が施されているフィギュア。
【請求項１６】
請求項１ないし請求項１５のうちのいずれか１項記載のフィギュアであって、
前記胴体部における前記胴体部正面、前記胴体部側面、前記胴体部背面のうちの互いに隣り合う複数の面の少なくとも一部に連続した色彩が施されているフィギュア。
【手続補正２】
【補正対象書類名】明細書
【補正対象項目名】０００６
【補正方法】変更
【補正の内容】
【０００６】
本発明に係るフィギュアは、木製の頭部と胴体部とが一体に成形された扁平形状とされ、
前記胴体部において前記頭部とは反対側の端面に設けられ、載置面に載置することにより前記頭部が前記胴体部の上方となる正立状態が得られる正立支持部と、前記頭部における頭部側面及び頭頂面のうちの一方と、前記胴体部における胴体部側面とに設けられ、前記載置面に載置することにより横立状態が得られる横立支持部と、を備え、前記頭部における頭部正面及び前記胴体部における胴体部正面が同一平坦面であるとともに、前記頭部における頭部背面及び前記胴体部における胴体部背面が同一平坦面であり、前記頭部及び前記胴体部のみにより構成されている。